(57)【要約】【課題】低コストかつ短期間の工期で、位置ずれを補正して設置することのできるソーラーパネル架台及びソーラーパネル架台の施工方法を提供する。【解決手段】ソーラーパネル架台１００は、地盤面に掘削された縦穴に埋設された、上端開口部を有する筒状の基礎枠１１０と、基礎枠１１０内の底部に収容された高さ調整部１２０と、基礎枠１１０の上端開口部近傍に設けられた支柱押さえ部材１３０と、支持部が基礎枠１４０内に挿入され、支持部より上部が基礎枠１４０の上端開口部より突出する、高さ調整部１２０により下端が支持され、支柱押さえ部材１３０により鉛直状態が調節可能に保持された支柱１４０と、支柱１４０に対して傾斜角を有するように、支柱１４０の上端で支持された枠体支持部材１７０と、枠体支持部材１７０により支持され、ソーラーパネルが取り付けられる枠体１５０と、を備える。【選択図】図２
2013238010.tif 000002
【特許請求の範囲】
【請求項１】
地盤面に掘削された縦穴に埋設された、上端開口部を有する筒状の基礎枠と、
前記基礎枠内の底部に収容された高さ調整部と、
前記基礎枠の上端開口部近傍に設けられた支柱押さえ部材と、
支持部が前記基礎枠内に挿入され、前記支持部より上部が前記上端開口部より突出する、前記高さ調整部により下端が支持され、前記支柱押さえ部材により鉛直状態が調節可能に保持された支柱と、
前記支柱に対して傾斜角を有するように、前記支柱の上端で支持された枠体支持部材と、
前記枠体支持部材により支持され、ソーラーパネルが取り付けられる枠体と、
を備えたソーラーパネル架台。
【請求項２】
前記高さ調整部は、鉛直方向に前記支柱下端の支持高さを調整可能である請求項１に記載のソーラーパネル架台。
【請求項３】
水平方向調整部材をさらに備える、
ことを特徴とする請求項１又は２に記載のソーラーパネル架台。
【請求項４】
前記基礎枠内に固定材が充填される、
ことを特徴とする請求項１乃至３のいずれか１項に記載のソーラーパネル架台。
【請求項５】
複数連結されてなる、
ことを特徴とする請求項１乃至４のいずれか１項に記載のソーラーパネル架台。
【請求項６】
地盤面に縦穴を掘削する工程と、
前記縦穴に基礎枠を埋設する工程と、
前記基礎枠内の底部に高さ調整部を収容する工程と、
前記基礎枠内に支柱を挿入して、前記支柱の下端を前記高さ調整部に載せる工程と、
前記支柱の鉛直状態が保持されるように、前記基礎枠の上端開口部近傍に設けられた支柱押さえ部材を調節する工程と、
前記支柱の上端に、前記支柱に対して傾斜角を有するように枠体支持部材を取り付ける工程と、
前記枠体支持部材にソーラーパネルを支持する枠体を取り付ける工程と、
を含むソーラーパネル架台の施工方法。
【請求項７】
前記縦穴の深さに応じて、前記高さ調整部における前記支柱下端の支持高さを調節する工程をさらに含む、請求項６に記載のソーラーパネル架台の施工方法。
【請求項８】
前記支柱の水平方向の位置ずれを、水平方向調整部材で補正する工程をさらに含む、請求項６又は７に記載のソーラーパネル架台の施工方法。
【請求項９】
前記基礎枠内に固定材を充填させる工程をさらに含む、請求項６乃至８のいずれか１項に記載のソーラーパネル架台の施工方法。
【請求項１０】
前記枠体を複数連結させる工程をさらに含む、請求項６乃至９のいずれか１項に記載のソーラーパネル架台の施工方法。
【発明の詳細な説明】
【技術分野】
【０００１】
本発明は、ソーラーパネル架台及びソーラーパネル架台の施工方法に関する。
【背景技術】
【０００２】
現在わが国の主要なエネルギー源は、石油、石炭等の資源である。しかし、これらの資源は有限であり、また、地球温暖化をもたらす二酸化炭素の発生源にもなる。このような状況下、太陽光に代表される“再生可能エネルギー”が注目されている。わが国においても、昨今、多数の大規模太陽光発電所が建設されるようになった。
【０００３】
大規模太陽光発電所においては、広大な敷地に多数のソーラーパネルを設置する必要がある。そこで、ソーラーパネルを設置するためのソーラーパネル架台及びその施工方法について、いくつか報告がなされている。
【０００４】
特許文献１には、短柱及び長柱で一対となる支柱を少なくとも２組有する太陽電池パネル架台が開示され、各々の支柱にコンクリート基礎が施された態様が記載されている。
【０００５】
特許文献２には、地中に埋設された鋼製基礎枠を用いることで、コンクリート基礎を施すことなく支柱を鉛直状に立設させる手段及び方法が開示されている。
【先行技術文献】
【特許文献】
【０００６】
【特許文献１】特開２０１２−６９９２９号公報
【特許文献２】特開２００１−２３４６４６号公報
【発明の概要】
【発明が解決しようとする課題】
【０００７】
しかしながら、特許文献１に記載の太陽電池パネル架台を多数設置する場合には、コンクリート基礎を施すために、大量のコンクリートを要し、高コストとなっていた。加えて、長期間の工期を必要とし、さらには解体にも時間を要するという難点を有していた。また、特許文献２に記載の方法では、コンクリート基礎を施す必要はないものの、支柱を地中に埋設する際に三次元的な位置ずれが生じた場合、その位置ずれを補正するには支柱を正しい位置に埋設し直す必要があった。このため、多数のソーラーパネルを連結させて設置する大規模太陽光発電所においては、施工性に課題を残していた。
【０００８】
本発明は、上記事情に鑑みてなされたものであり、低コストかつ短期間の工期で、位置ずれを補正して設置することのできるソーラーパネル架台及びソーラーパネル架台の施工方法を提供することを目的とする。
【課題を解決するための手段】
【０００９】
上記目的を達成するため、本発明の第１の観点に係るソーラーパネル架台は、
地盤面に掘削された縦穴に埋設された、上端開口部を有する筒状の基礎枠と、
前記基礎枠内の底部に収容された高さ調整部と、
前記基礎枠の上端開口部近傍に設けられた支柱押さえ部材と、
支持部が前記基礎枠内に挿入され、前記支持部より上部が前記上端開口部より突出する、前記高さ調整部により下端が支持され、前記支柱押さえ部材により鉛直状態が調節可能に保持された支柱と、
前記支柱に対して傾斜角を有するように、前記支柱の上端で支持された枠体支持部材と、
前記枠体支持部材により支持され、ソーラーパネルが取り付けられる枠体と、
を備える。
【００１０】
前記高さ調整部は、鉛直方向に前記支柱下端の支持高さを調整可能であってもよい。
【００１１】
前記ソーラーパネル架台は、水平方向調整部材をさらに備えていてもよい。
【００１２】
前記基礎枠内に固定材が充填されていてもよい。
【００１３】
前記ソーラーパネル架台は、複数連結されてなっていてもよい。
【００１４】
本発明の第２の観点に係るソーラーパネル架台の施工方法は、
地盤面に縦穴を掘削する工程と、
前記縦穴に基礎枠を埋設する工程と、
前記基礎枠内の底部に高さ調整部を収容する工程と、
前記基礎枠内に支柱を挿入して、前記支柱の下端を前記高さ調整部に載せる工程と、
前記支柱の鉛直状態が保持されるように、前記基礎枠の上端開口部近傍に設けられた支柱押さえ部材を調節する工程と、
前記支柱の上端に、前記支柱に対して傾斜角を有するように枠体支持部材を取り付ける工程と、
前記枠体支持部材にソーラーパネルを支持する枠体を取り付ける工程と、
を含む。
【００１５】
前記ソーラーパネル架台の施工方法は、前記縦穴の深さに応じて、前記高さ調整部における前記支柱下端の支持高さを調節する工程をさらに含んでいてもよい。
【００１６】
前記ソーラーパネル架台の施工方法は、前記支柱の水平方向の位置ずれを、水平方向調整部材で補正する工程をさらに含んでいてもよい。
【００１７】
前記ソーラーパネル架台の施工方法は、前記基礎枠内に固定材を充填させる工程をさらに含んでいてもよい。
【００１８】
前記ソーラーパネル架台の施工方法は、前記枠体を複数連結させる工程をさらに含んでいてもよい。
【発明の効果】
【００１９】
本発明によれば、低コストかつ短期間の工期で、位置ずれを補正して設置することのできるソーラーパネル架台及びソーラーパネル架台の施工方法を提供することができる。
【図面の簡単な説明】
【００２０】
【図１】本発明の一実施形態であるソーラーパネル架台の模式側面図である。
【図２】本発明の一実施形態であるソーラーパネル架台の模式斜視図である。
【図３】ソーラーパネル架台の高さ調整部の模式側面図である。
【図４】ソーラーパネル架台の高さ調整部に支柱を載せた状態の模式側面図である。
【図５】ソーラーパネル架台の基礎枠及び支柱押さえ部材の模式側面図である。
【図６】ソーラーパネル架台の基礎枠及び支柱押さえ部材の模式平面図である。
【図７】ソーラーパネル架台の支柱を支柱押さえ部材で固定した状態の模式平面図である。
【図８】ソーラーパネル架台の高さ調整部に支柱を載せ、支柱を支柱押さえ部材で固定した状態の模式側面図である。
【図９】ソーラーパネル架台の支柱及び枠体支持部材の模式斜視図である。
【図１０】本発明の他の実施形態である、鉛直方向に支柱下端の支持高さが調節可能である高さ調整部の模式斜視図である。
【図１１】水平方向調整部材の模式斜視図である。
【図１２】本発明の他の実施形態である、水平方向調整部材を備える枠体支持部材及び枠体の模式斜視図である。
【図１３】本発明の他の実施形態である、基礎枠内に固定材が充填されたソーラーパネル架台の模式側面図である。
【図１４】本発明の他の実施形態である、複数連結されてなるソーラーパネル架台の模式斜視図である。
【図１５】枠体にソーラーパネルを取り付けた状態の模式斜視図である。
【図１６】ソーラーパネル架台の施工手順を示した施工手順図である。（ａ）は、地盤面に縦穴を掘削する工程を示した図、（ｂ）は、縦穴に基礎枠を埋設する工程を示した図、（ｃ）は、基礎枠内の底部に高さ調整部を収容する工程を示した図、（ｄ）は、基礎枠内に支柱を挿入して、支柱の下端を高さ調整部に載せる工程を示した図と、（ｅ）は、支柱の鉛直状態が保持されるように、基礎枠の上端開口部近傍に設けられた支柱押さえ部材を調節する工程を示した図である。
【発明を実施するための形態】
【００２１】
以下、本発明の実施形態について詳細に説明する。
【００２２】
（１．ソーラーパネル架台）
本発明の実施形態に係るソーラーパネル架台１００を、図面を参照して説明する。
【００２３】
図１及び図２に示すように、本発明の実施形態に係るソーラーパネル架台１００は、基礎枠１１０と、高さ調整部１２０と、支柱１４０と、支柱押さえ部材１３０と、枠体支持部材１７０と、枠体１５０と、を備える。
【００２４】
基礎枠１１０は、鋼製であり、後述する施工手順に示すように、ソーラーパネルを設置する場所の地盤面に掘削された縦穴に埋設されている。基礎枠１１０の形状は、筒状であるが、具体的には、円筒状の有底管であり、上端には開口部を有する。本発明の実施形態に係るソーラーパネル架台１００は、基礎枠１１０を備えることにより、コンクリート基礎を要することなく設置され得る。なお、基礎枠１１０の材質は、ステンレス鋼、アルミニウム、又は合成樹脂でもよく、基礎枠１１０の形状は、直方体状の有底管でもよい。
【００２５】
高さ調整部１２０は、図３及び図４に示すように、支柱支持部材１２１と、アーム１２２と、底部固定部材１２３と、ベース板１２６と、から構成され、基礎枠１１０内の底部に収容される。高さ調整部１２０の前述の各部材は、鋼製である。なお、高さ調整部１２０の各部材の材質は、ステンレス鋼又はアルミニウムでもよい。
【００２６】
高さ調整部１２０の支柱支持部材１２１は、図３に示すように、開口部を有しており、この開口部の内径は、後述する支柱１４０の外径よりもわずかに大きく、この開口部に支柱１４０の下端をはめ込むことができるようになっている（図４）。支柱１４０の下端が支柱支持部材１２１の開口部にはめ込まれ、高さ調整部１２０で支柱１４０の下端が支持される（図４）。
【００２７】
高さ調整部１２０の支柱支持部材１２１は、図３及び図４に示すように、外側に向かって伸びる４方向のアーム１２２を備える。アーム１２２の先端部は、基礎枠１１０の内周面にフィットする形状を有する。アーム１２２の先端部が基礎枠１１０の内周面に接触して固定されることで、基礎枠１１０内における支柱支持部材１２１の水平方向のずれが回避される。
【００２８】
高さ調整部１２０の支柱支持部材１２１はまた、図３及び図４に示すように、基礎枠１１０の底部に向かって伸びる底部固定部材１２３を備える。底部固定部材１２３の下端には、ベース板１２６が設けられている。高さ調整部１２０は、ベース板１２６によって、基礎枠１１０内の底部に固定支持される。
【００２９】
支柱１４０は、角形鋼管（角パイプ）からなり、図１及び図２に示すように、その支持部１４０Ｂが基礎枠１１０内に挿入される。そして、図４に示すように、基礎枠１１０内にて、その下端が高さ調整部１２０の支柱支持部材１２１により支持される。具体的には、前述の通り、支柱１４０の下端が支柱支持部材１２１の開口部にはめ込まれ、高さ調整部１２０で支柱１４０の下端が支持される。支柱１４０の、支持部１４０Ｂより上部（以下、地上部１４０Ａという）は、基礎枠１１０の上端開口部から突出する（図１及び図２）。支柱１４０は、枠体支持部材１７０及び枠体１５０を支持する役割を有する。なお、支柱１４０は、丸形鋼管（丸パイプ）又はＨ形鋼からなっていてもよい。
【００３０】
なお、高さ調整部１２０の高さを変えることで、支柱１４０の地上部１４０Ａの高さを調節することができる。具体的には、縦穴の深さに応じて、適切な高さの高さ調整部１２０を選択することで、支柱１４０の地上部１４０Ａの高さを、ソーラーパネル架台１００の設置時に、縦穴の深さに鑑みて調節することができる。例えば、地中の岩石等の存在によって縦穴の深さが所望の深さよりも浅くなった場合、高さの低い高さ調整部１２０を選択して基礎枠１１０内の底部に収容することにより、支柱１４０の地上部１４０Ａの高さを低くすることができる。このようにして、ソーラーパネル架台１００の鉛直方向の高さ調整を行うことができる。
【００３１】
支柱押さえ部材１３０は、図５に示すように、基礎枠１１０の上端開口部近傍に設けられる。支柱押さえ部材１３０は、図６に示すように、４組の鋼製の調整ボルト１３１を備えている。調整ボルト１３１は、支柱１４０の断面の中心に対して進退するように、ナット１３２を介して基礎枠１１０に取り付けられている。調整ボルト１３１が４方向から支柱１４０に当接するように、ナット１３２の位置を調節して、調整ボルト１３１の頭部１３１ａが４方向から支柱１４０を固定する（図７）。この際、支柱１４０の鉛直状態が保持されるように、支柱押さえ部材１３０を調節する。このようにして、支柱１４０は、支柱押さえ部材１３０により鉛直状態が調節可能に保持される（図８）。
【００３２】
枠体支持部材１７０は、角形鋼管（角パイプ）で構成され、図９に示すように、支柱１４０の上端で支持される。具体的には、枠体支持部材１７０の略中心部に、支柱１４０の上端が連結される。なお、枠体支持部材１７０は、支柱１４０に対して傾斜角θ（図１及び図９）を有するように、支柱１４０の上端に連結される。枠体支持部材１７０は、ソーラーパネルが取り付けられる枠体１５０を保持する役割を有する。そのため、ソーラーパネルが効率良く受光できるような傾斜角θを設定することが必要である。また、積雪地帯においては、ソーラーパネルの上に雪が積もることで、受光効率が低下するおそれが、又は雪の重さでソーラーパネルが破損するおそれがあるため、ソーラーパネルの上に雪が積もりにくくなるように、傾斜角θを通常より鋭角にしてもよい。なお、枠体支持部材１７０の材質は、ステンレス鋼又はアルミニウムでもよい。
【００３３】
枠体１５０は、Ｃ形鋼で枠状に構成されたものであり、図２に示すように、矩形状の外枠と、格子状に形成された内枠からなる。枠体１５０は、図１及び図２に示すように、枠体支持部材１７０により支持される。具体的には、枠体１５０の傾斜面方向に沿った中心部近傍が、枠体支持部材１７０に連結される。枠体１５０には、前述の通り、ソーラーパネル２１０が取り付けられ（図１５）、枠体１５０は、ソーラーパネル２１０を保持する役割を有する。なお、枠体１５０は、Ｈ形鋼で構成されていてもよい。
【００３４】
本発明の実施形態に係るソーラーパネル架台１００は、基礎枠１１０を用いることで、従来必要であったコンクリート基礎を施すことなく、簡便に設置され得る。したがって、ソーラーパネル架台設置のコストを低減させ、かつ工期を短縮することができる。また、ソーラーパネル架台の解体時においても、コンクリート基礎を撤去する必要がないため、簡便に行うことができる。
【００３５】
なお、この発明は上記実施の形態に限定されず、種々の変形及び応用が可能である。例えば、本実施形態においては、図３に示したように、既定の高さの高さ調整部１２０の形態について説明したが、図１０に示すように、高さ調整部１２０においては、支柱１４０下端の支持高さ、すなわち支柱支持部材１２１の高さが、鉛直方向に調節可能であってもよい。この場合、底部固定部材１２３は、ベース板１２６上に取り付けられた、基部１２４と、調節つまみ１２５と、をさらに備える。底部固定部材１２３は、基部１２４の内側面において鉛直方向に進退可能であり、調節つまみ１２５により所望の高さに固定することができる。このような高さ調整部１２０を用いることで、縦穴に基礎枠１１０を埋設した後、縦穴の深さに応じて高さを調整した高さ調整部１２０を基礎枠１１０内の底部に収容することができる。その結果、ソーラーパネル架台１００の設置時に、支柱１４０の地上部１４０Ａの高さを、縦穴の深さに鑑みて調節することができる。このようにすることで、ソーラーパネル架台１００の鉛直方向の高さ調節をより柔軟に行うことができる。
【００３６】
また、ソーラーパネル架台１００は、図１１及び図１２に示すように、鋼製の水平方向調整部材１６０をさらに備えていてもよい。水平方向調整部材１６０は、横水平方向調整部材１６１と縦水平方向調整部材１６３とを備える。水平方向調整部材１６０は、枠体支持部材１７０に沿って、略等間隔で複数個備えられる。
【００３７】
横水平方向調整部材１６１は、図１１及び図１２に示すように、Ｌ型鋼からなり、一方のフランジには長孔１６５が、他方のフランジには２つの丸孔１６７が形成されている。横水平方向調整部材１６１は、長孔１６５を介して固定金具１６２により枠体１５０に連結されるとともに、後述の通り、丸孔１６７を介して固定金具１６４により縦水平方向調整部材１６３にも連結される（図１１及び図１２）。
【００３８】
縦水平方向調整部材１６３は、フランジ１６３ａを有する略Ｕ字形の形状をなし、フランジ１６３ａには各々丸孔１６８が形成されている（図１１）。縦水平方向調整部材１６３は、枠体支持部材１７０を保持する（図１２）。また、縦水平方向調整部材１６３のフランジ１６３ａの各々の丸孔１６８は、横水平方向調整部材１６１の２つの丸孔１６７に、固定金具１６４により固定される（図１１及び図１２）。
【００３９】
横水平方向調整部材１６１は、設置されるソーラーパネル架台１００の横水平方向の位置ずれを補正することができる。具体的には、縦穴が地中の岩石等の存在によって所望の位置より左右にずれた場合、長孔１６５における固定金具１６２を留める位置を左右に調節して、横水平方向調整部材１６１を枠体１５０に連結させる。こうすることで、ソーラーパネル架台１００の横水平方向の位置ずれを補正することができる。
【００４０】
縦水平方向調整部材１６３は、設置されるソーラーパネル架台１００の縦水平方向の位置ずれを補正することができる。具体的には、縦穴が地中の岩石等の存在によって所望の位置より前後にずれた場合、枠体支持部材１７０の位置を前後に調節して位置決めし、位置決めされた位置において、縦水平方向調整部材１６３を固定金具１６４により横水平方向調整部材１６１に連結させ、縦水平方向調整部材１６３に枠体支持部材１７０を固定する。こうすることで、ソーラーパネル架台１００の縦水平方向の位置ずれを補正することができる。
【００４１】
また、本発明の実施形態に係るソーラーパネル架台１００は、図１３に示すように、基礎枠１１０内に固定材１８０が充填されていてもよい。固定材１８０としては、コンクリート又はモルタルが好適に用いられる。基礎枠１１０内に固定材１８０を充填することで、ソーラーパネル架台１００の強度及び耐震性をより高めることができる。この場合、コンクリート基礎を施す場合よりも、固定材１８０の使用量を低減させることができる。
【００４２】
また、本実施形態においては、図２に示したように、単体でのソーラーパネル架台１００の形態について説明したが、図１４に示すように、ソーラーパネル架台１００は複数連結されていてもよい。この場合、一直線上に支柱１４０を複数立設し、隣接する枠体１５０の端部同士を連結させることで、ソーラーパネル架台１００を複数連結させることができる。
【００４３】
図１４に示すように、ソーラーパネル架台１００を複数連結させる場合、複数の支柱１４０の地上部１４０Ａの高さを一定に揃える必要がある。ソーラーパネル架台１００間で支柱１４０の地上部１４０Ａの高さを一定に揃えないと、枠体１５０の端部が隣の枠体１５０の端部に届かず、隣接する枠体１５０の端部同士を連結させることができないからである。この場合、鉛直方向に支柱１４０下端の支持高さが調節可能である高さ調整部１２０（図１０）を備えるソーラーパネル架台１００が好適に用いられ得る。つまり、一直線上に複数の縦穴を設け、例えば、地中の岩石等の存在によって１つの縦穴の深さが所望の深さよりも浅くなった場合、低く調整した高さ調整部１２０を基礎枠１１０の底部に設けることにより、その支柱１４０の地上部１４０Ａの高さを低くすることができる。このように、支柱１４０の鉛直方向の高さ調整をすることにより、複数の支柱１４０の地上部１４０Ａの高さを一定に揃えることができ、その結果、隣接する枠体１５０の端部同士を確実に連結させることができる。
【００４４】
加えて、図１４に示すように、ソーラーパネル架台１００を複数連結させる場合、水平方向調整部材１６０（図１１及び図１２）を備えるソーラーパネル架台１００が好適に用いられ得る。つまり、ソーラーパネル架台１００を複数連結させる場合、各々のソーラーパネル架台１００の枠体１５０の幅及び奥行きは一定であるため、支柱１４０が一直線上かつ等間隔に並んでいない場合、すなわち水平方向に位置ずれがある場合、隣同士の枠体１５０の端部が重なり合ったり、逆に、枠体１５０の端部が隣の枠体１５０の端部に届かず、隣接する枠体１５０の端部同士を連結させることができない事態が発生する。水平方向調整部材１６０を備えるソーラーパネル架台１００においては、立設される支柱１４０の水平方向の位置ずれを補正することができる。このため、縦穴が地中の岩石等の存在によって所望の位置よりずれる等して、水平方向に位置ずれがある場合でも、隣接する枠体１５０の端部同士を確実に連結させることができる。
【００４５】
加えて、図１４に示すように、ソーラーパネル架台１００を複数連結させる場合、鉛直方向に支柱１４０下端の支持高さが調節可能である高さ調整部１２０（図１０）を備え、かつ水平方向調整部材１６０（図１１及び図１２）を備えるソーラーパネル架台１００がより好適に用いられ得る。複数の支柱１４０の地上部１４０Ａの高さを一定に揃えることができ、かつ、立設される支柱１４０の水平方向の位置ずれを補正することができるため、三次元的な位置ずれを補正することが可能となる。このため、より確実に隣接する枠体１５０の端部同士を連結させることができる。
【００４６】
また、本実施形態においては、図３及び図４に示したように、４方向のアーム１２２を備える高さ調整部１２０の形態について説明したが、アーム１２２の本数は、６本、８本等でもよい。
【００４７】
また、本実施形態においては、図６及び図７に示したように、４組の調節ボルト１３１及びナット１３２を備える支柱押さえ部材１３０の形態について説明したが、調節ボルト１３１及びナット１３２は、支柱１４０の形状に応じて、６組、８組等備えられてもよい。
【００４８】
また、本実施形態においては、図１１及び図１２に示したように、細長い孔１６５を有する横水平方向調整部材１６１の形態について説明したが、水平方向に複数の孔を有する横水平方向調整部材１６１を用いてもよい。
【００４９】
また、本実施形態においては、図１１及び図１２に示したように、２つの孔丸１６７を有する横水平方向調整部材１６１及び２つの丸孔１６８を有する縦水平方向調整部材１６３の形態について説明したが、各々の孔の数は、４個、６個等でもよい。
【００５０】
また、本実施形態においては、図１５に示したように、枠体１５０にソーラーパネルを取り付けた形態について説明したが、街路灯等の電灯をさらに備えていてもよい。この場合、ソーラーパネル２１０により発電された電力が供給されて、電灯を点火させることができる。また、スピーカーをさらに備えていてもよい。この場合も前述と同様に、ソーラー発電により供給された電力により、放送設備として稼働させることができる。
【００５１】
（２．ソーラーパネル架台の施工方法）
本発明の実施形態に係るソーラーパネル架台１００の施工方法は、図１６（ａ）〜（ｅ）に示すように、（ａ）地盤面に縦穴を掘削する工程（図１６（ａ））と、（ｂ）縦穴に基礎枠１１０を埋設する工程（図１６（ｂ））と、（ｃ）基礎枠１００内の底部に高さ調整部１２０を収容する工程（図１６（ｃ））と、（ｄ）基礎枠１１０内に支柱１４０を挿入して、支柱１４０の下端を高さ調整部１２０に載せる工程（図１６（ｄ））と、（ｅ）支柱１４０の鉛直状態が保持されるように、基礎枠１１０の上端開口部近傍に設けられた支柱押さえ部材１３０を調節する工程（図１６（ｅ））と、（ｆ）支柱１４０の上端に、支柱１４０に対して傾斜角を有するように枠体支持部材１７０を取り付ける工程（図示せず）と、（ｇ）枠体支持部材１７０にソーラーパネルを支持する枠体１５０を取り付ける工程（図示せず）と、を含む。以下、（ａ）〜（ｇ）の工程について、順を追って説明する。
【００５２】
（ａ）地盤面に縦穴を掘削する工程（図１６（ａ））においては、測量により位置決めされた地点に掘削機により所定径及び深さの縦穴を掘削する。
【００５３】
（ｂ）縦穴に基礎枠１１０を埋設する工程（図１６（ｂ））においては、縦穴内に基礎枠１１０を隙間無く埋設する。
【００５４】
（ｃ）基礎枠１００内の底部に高さ調整部１２０を収容する工程（図１６（ｃ））においては、縦穴の深さに応じて、適切な高さの高さ調整部１２０を選択して設ける。こうすることで、支柱１４０の地上部１４０Ａの鉛直方向の高さを調節することができる。
【００５５】
（ｄ）基礎枠１１０内に支柱１４０を挿入して、支柱１４０の下端を高さ調整部１２０に載せる工程（図１６（ｄ））においては、高さ調整部１２０の支柱支持部材１２１の開口部に支柱１４０の下端をはめ込むことで、支柱１４０の下端を高さ調整部１２０に固定させる。
【００５６】
（ｅ）支柱１４０の鉛直状態が保持されるように、基礎枠１１０の上端開口部近傍に設けられた支柱押さえ部材１３０を調節する工程（図１６（ｅ））においては、支柱押さえ部材１３０に備えられた調整ボルト１３１が支柱１４０に当接するように、ナット１３２の位置を調節して、調整ボルト１３１の頭部１３１ａが４方向から支柱１４０を固定する（図７）。この際、支柱１４０の鉛直状態が保持されるように、支柱押さえ部材１３０で支柱１４０を固定する。
【００５７】
（ｆ）支柱１４０の上端に、支柱１４０に対して傾斜角を有するように枠体支持部材１７０を取り付ける工程（図示せず）においては、支柱１４０の上端に、支柱１４０に対して傾斜角θを有するように、枠体支持部材１７０の略中心部を連結させる（図１及び図９）。
【００５８】
（ｇ）枠体支持部材１７０にソーラーパネルを支持する枠体１５０を取り付ける工程（図示せず）においては、枠体支持部材１７０に、枠体１５０の傾斜面方向に沿った中心部近傍を連結させる（図２）。
【００５９】
本発明の実施形態に係るソーラーパネル架台１００の施工方法は、基礎枠１１０を用いることで、従来必要であったコンクリート基礎を施すことなく、簡便に実施され得る。したがって、ソーラーパネル架台設置のコストを低減させ、かつ工期を短縮することができる。また、ソーラーパネル架台の解体時においても、コンクリート基礎を撤去する必要がないため、簡便に行うことができる。
【００６０】
なお、この発明は上記実施の形態に限定されず、種々の変形及び応用が可能である。例えば、本実施形態においては、図１６（ｃ）に示したように、基礎枠１００内の底部に高さ調整部１２０を収容する工程において、既定の高さの底部固定部材１２３を備える高さ調整部１２０を基礎枠１１０内の底部に収容する形態について説明したが、上記（ｂ）の工程と上記（ｃ）の工程との間において、縦穴の深さに応じて、高さ調整部１２０における支柱１４０下端の支持高さを調節する工程をさらに含んでいてもよい。この場合、鉛直方向に支柱１４０下端の支持高さが調節可能である高さ調整部１２０（図１０）を用いる。こうすることで、縦穴の深さに鑑みて、支柱１４０の地上部１４０Ａの鉛直方向の高さ調節をより柔軟に行うことができる。
【００６１】
また、上記（ｆ）の工程と上記（ｇ）の工程との間において、支柱１４０の水平方向の位置ずれを、水平方向調整部材１６０（図１１及び図１２）で補正する工程をさらに含んでいてもよい。こうすることで、設置されるソーラーパネル架台１００の水平方向の位置ずれを補正することができる。
【００６２】
また、上記（ｇ）の工程において又は上記（ｇ）の工程後に、枠体１５０を複数連結させる工程をさらに含んでいてもよい。隣接するソーラーパネル架台１００の枠体１５０の端部同士を連結させることで、ソーラーパネル架台１００を複数連結させることができる（図１４）。
【００６３】
前述のように枠体１５０を複数連結させる（図１４）工程をさらに含む場合、支柱１４０の地上部１４０Ａの高さをソーラーパネル架台１００間で揃える必要がある。このため、上記（ｂ）の工程と上記（ｃ）の工程との間において、縦穴の深さに応じて、高さ調整部１２０における支柱１４０下端の支持高さを調節する工程をさらに含むことが好ましい。こうすることで、複数の支柱１４０の地上部１４０Ａの鉛直方向の高さ調節を行うことができ、その結果、隣接する枠体１５０の端部同士を確実に連結させることができる。
【００６４】
加えて、前述のように枠体１５０を複数連結（図１４）させる工程をさらに含む場合、上記（ｆ）の工程と上記（ｇ）の工程との間において、支柱１４０の水平方向の位置ずれを、水平方向調整部材１６０（図１１及び図１２）で補正する工程をさらに含むことが好ましい。こうすることで、立設される複数の支柱１４０において水平方向に位置ずれがある場合でも、隣接する枠体１５０の端部同士を確実に連結させることができる。
【００６５】
加えて、前述のように枠体１５０を複数連結（図１４）させる工程をさらに含む場合、上記（ｂ）の工程と上記（ｃ）の工程との間において、縦穴の深さに応じて、高さ調整部１２０における支柱１４０下端の支持高さを調節する工程をさらに含み、かつ、上記（ｆ）の工程と上記（ｇ）の工程との間において、支柱１４０の水平方向の位置ずれを、水平方向調整部材１６０（図１１及び図１２）で補正する工程をさらに含むことがより好ましい。こうすることで、複数の支柱１４０の地上部１４０Ａの鉛直方向の高さ調節を行うことができ、かつ、立設される複数の支柱１４０の水平方向の位置ずれを補正することができるため、三次元的な位置ずれを補正して、より確実に隣接する枠体１５０の端部同士を連結させることができる。
【００６６】
また、上記（ｇ）の工程の後に、基礎枠１１０内に固定材１８０を充填させる工程をさらに含んでいてもよい。基礎枠１１０内に固定材１８０（コンクリート又はモルタル）を充填させる（図１３）ことで、ソーラーパネル架台１００の強度及び耐震性をより高めることができる。
【００６７】
前述の場合、上記（ａ）〜（ｇ）の工程後に得られる、基礎枠１１０内に固定材１８０を充填させる前の状態のソーラーパネル架台１００（図８）は、それ自体でも十分な強度及び耐震性を有することから、固定材１８０充填前のいわば“仮留め”として機能し得る。特に、ソーラーパネル架台１００を複数連結（図１４）させる場合には、一直線上に複数のソーラーパネル架台１００を設置することで“仮留め”した後、各々の基礎枠１１０内に固定材１８０を充填させることもできる。こうすることで、固定材１８０充填の工程が一度で済み、施工性が飛躍的に向上する。前述の通り、基礎枠１１０内に固定材１８０を充填させることで、ソーラーパネル架台１００の強度及び耐震性をさらに高めることができる。
【００６８】
また、本実施形態においては、上記（ｄ）〜（ｆ）の工程において、支柱１４０を立設させた後、支柱１４０の上端に枠体支持部材１７０を取り付ける形態について説明したが、あらかじめ枠体支持部材１７０が連結された支柱１４０を用いてもよい。
【００６９】
また、本実施形態においては、上記（ｄ）〜（ｇ）の工程において、支柱１４０を立設させた後、支柱１４０に枠体支持部材１７０を取り付け、その後さらに枠体支持部材１７０に枠体１５０を取り付ける形態について説明したが、あらかじめ枠体支持部材１７０及び支柱１４０が連結された支柱１４０を用いてもよい。
【符号の説明】
【００７０】
１００  ソーラーパネル架台
１１０  基礎枠
１２０  高さ調整部
１２１  支柱支持部材
１２２  アーム
１２３  底部固定部材
１２４  基部
１２５  調節つまみ
１２６  ベース板
１３０  支柱押さえ部材
１３１  調節ボルト
１３２  ナット
１４０  支柱
１５０  枠体
１６０  水平方向調整部材
１６１  横水平方向調整部材
１６２  固定金具
１６３  縦水平方向調整部材
１６４  固定金具
１７０  枠体支持部材
１８０  固定材
２１０  ソーラーパネル
【図１】
2013238010.tif 000003
【図２】
2013238010.tif 000004
【図３】
2013238010.tif 000005
【図４】
2013238010.tif 000006
【図５】
2013238010.tif 000007
【図６】
2013238010.tif 000008
【図７】
2013238010.tif 000009
【図８】
2013238010.tif 000010
【図９】
2013238010.tif 000011
【図１０】
2013238010.tif 000012
【図１１】
2013238010.tif 000013
【図１２】
2013238010.tif 000014
【図１３】
2013238010.tif 000015
【図１４】
2013238010.tif 000016
【図１５】
2013238010.tif 000017
【図１６】
2013238010.tif 000018